(57)【特許請求の範囲】
【請求項１】
梁および柱を含む構造躯体部と、
前記構造躯体部よりも屋外側に固定された第１および第２の外壁パネルとを備え、
前記第１の外壁パネルは、一定の厚みを有する第１のフレーム部を含み、
前記第２の外壁パネルは、前記第１のフレーム部よりも厚みが大きい第２のフレーム部を含み、
前記第１および第２の外壁パネルが、横方向または上下方向に隣接して配置されることによって、前記第１および第２のフレーム部にそれぞれ取り付けられた外装面部材の表面に段差が形成されている、建物の外壁構造。
【請求項２】
前記第１および第２のフレーム部の正面側から見た外形形状は、矩形形状であり、
前記第１および第２のフレーム部は、縦寸法および横寸法の少なくとも一方が同じである、請求項１に記載の建物の外壁構造。
【請求項３】
前記第２のフレーム部は、前記構造躯体部に連結される内側フレームと、前記外装面部材が取付けられる外側フレームとで構成されている、請求項１に記載の建物の外壁構造。
【請求項４】
前記第１のフレーム部は、１つの枠体により構成されており、
前記第２のフレーム部の前記外側フレームの厚み寸法は、前記第１のフレーム部の厚み寸法と同じである、請求項３に記載の建物の外壁構造。
【請求項５】
窓用サッシが、前記第２のフレーム部の前記内側フレームに取付けられている、請求項３または４に記載の建物の外壁構造。
【請求項６】
前記第２のフレーム部の前記内側フレームは、前記外側フレームに接合された複数のスペーサにより構成されている、請求項３〜５のいずれかに記載の建物の外壁構造。
【請求項７】
前記第２の外壁パネルの横方向一端部は、窓用サッシが設けられた他の外壁パネルに交差しており、
前記第２の外壁パネルの前記外側フレームに取付けられた前記外装面部材の表面位置は、前記他の外壁パネルの前記窓用サッシの端位置に一致または近接している、請求項３〜６のいずれかに記載の建物の外壁構造。
【請求項８】
前記構造躯体部よりも屋外側に固定され、かつ、前記第１および第２の外壁パネルの少なくとも一方に隣接して配置される第３の外壁パネルをさらに備え、
前記第３の外壁パネルは、裏面側に位置する前記構造躯体部への連結基準面と、正面側に位置する前記外装面部材の取付け基準面とを有する第３のフレーム部を含み、
前記第３のフレーム部は、前記連結基準面から前記取付け基準面までの突出寸法が異なる第１部分および第２部分を有しており、前記取付け基準面に段差が形成されている、請求項１〜７のいずれかに記載の建物の外壁構造。
【発明の詳細な説明】
【技術分野】
【０００１】
本発明は、建物の外壁構造に関し、特に、外壁パネルを用いた外壁構造に関する。
【背景技術】
【０００２】
従来から、外観の意匠性を向上させるために、キャンチルームを設けた建物や、外壁の一部を突出させた建物などが存在する。
【０００３】
また、たとえば、特開２００１−９８６６８号公報（特許文献１）では、内装材を有する内側パネルと外装材を有する外側パネルとからなる厚い外壁部と、内装材と外装材とを有する一体パネルにより構成される薄い外壁部とを並設させることによって、外壁に凹凸を持たせた外壁構造が提案されている。
【先行技術文献】
【特許文献】
【０００４】
【特許文献１】特開２００１−９８６６８号公報
【発明の概要】
【発明が解決しようとする課題】
【０００５】
キャンチルームなどにより外壁に凹凸をつけた一般的な建物では、構造躯体の位置は、外壁の凹凸に合わせて定められる。そのため、建物自体の構造が複雑となり、施工に手間が掛かる。また、それに伴い、コストアップも生じる。
【０００６】
一方で、上記特許文献１では、外壁部自体の厚みによって外壁に凹凸を持たせているため、構造躯体の位置を変更する必要がない。しかしながら、厚い外壁部の外側パネルのみが、梁よりも屋外側に配置されており、厚い外壁部の内側パネルと薄い外壁部（一体パネル）とは、梁と基礎との間に挿入されている。したがって、特許文献１のような外壁構造であっても、厚い外壁部と薄い外壁部とが同じ納まりでないため、現場での施工に手間が掛かってしまう。
【０００７】
本発明は、上記のような課題を解決するためになされたものであって、その目的は、簡易な構造で建物の外観意匠性を向上させることのできる、建物の外壁構造を提供することである。
【課題を解決するための手段】
【０００８】
この発明のある局面に従う建物の外壁構造は、梁および柱を含む構造躯体部と、構造躯体部よりも屋外側に固定された第１および第２の外壁パネルとを備える。第１の外壁パネルは、一定の厚みを有する第１のフレーム部を含み、第２の外壁パネルは、第１のフレーム部よりも厚みが大きい第２のフレーム部を含む。第１および第２の外壁パネルが、横方向または上下方向に隣接して配置されることによって、第１および第２のフレーム部にそれぞれ取り付けられた外装面部材の表面に段差が形成されている。
【０００９】
好ましくは、第１および第２のフレーム部の正面側から見た外形形状は、矩形形状であり、第１および第２のフレーム部は、縦寸法および横寸法の少なくとも一方が同じである。
【００１０】
好ましくは、第２のフレーム部は、構造躯体部に連結される内側フレームと、外装面部材が取付けられる外側フレームとで構成されている。
【００１１】
好ましくは、第１のフレーム部は、１つの枠体により構成されており、第２のフレーム部の外側フレームの厚み寸法は、第１のフレーム部の厚み寸法と同じである。
【００１２】
好ましくは、窓用サッシが、第２のフレーム部の内側フレームに取付けられている。
【００１３】
第２のフレーム部の内側フレームは、外側フレームに接合された複数のスペーサにより構成されていてもよい。
【００１４】
第２の外壁パネルの横方向一端部は、窓用サッシが設けられた他の外壁パネルに交差していてもよい。この場合、第２の外壁パネルの外側フレームに取付けられた外装面部材の表面位置は、他の外壁パネルの窓用サッシの端位置に一致または近接していることが望ましい。
【００１５】
また、構造躯体部よりも屋外側に固定され、かつ、第１および第２の外壁パネルの少なくとも一方に隣接して配置される第３の外壁パネルをさらに備えていてもよい。第３の外壁パネルは、裏面側に位置する構造躯体部への連結基準面と、正面側に位置する外装面部材の取付け基準面とを有する第３のフレーム部を含む。第３のフレーム部は、連結基準面から取付け基準面までの突出寸法が異なる第１部分および第２部分を有しており、取付け基準面に段差が形成されている。
【発明の効果】
【００１６】
本発明によれば、簡易な構造で、建物の外観意匠性を向上させることができる。したがって、施工の手間を少なくすることができる。
【図面の簡単な説明】
【００１７】
【図１】本発明の実施の形態１に係る建物の外壁構造を模式的に示す外観斜視図である。
【図２】本発明の実施の形態１に係る建物の外壁構造を模式的に示す縦断面図である。
【図３】本発明の実施の形態１に係る建物の他の外壁構造を模式的に示す横断面図である。
【図４】本発明の実施の形態１において、各外壁パネルの構成例を模式的に示す図である。
【図５】本発明の実施の形態１において、標準フレーム部を示す斜視図である。
【図６】本発明の実施の形態１において、ダブルフレーム部を示す分解斜視図である。
【図７】本発明の実施の形態１において、標準仕様の外壁パネルの取り付け構造を示す断面図である。
【図８】本発明の実施の形態１において、標準フレーム部の取り付け例を示す斜視図である。
【図９】本発明の実施の形態１において、厚い外壁パネルの取り付け構造を示す断面図である。
【図１０】本発明の実施の形態１において、ダブルフレーム部の取り付け例を示す斜視図である。
【図１１】本発明の実施の形態１において、標準フレーム部とダブルフレーム部とが並べられることによって取付け基準面に段差が形成された状態を示す図である。
【図１２】本発明の実施の形態１において、ダブルフレーム部の内側フレームおよび外側フレームそれぞれの厚み寸法を示す図である。
【図１３】本発明の実施の形態１において、内側フレームの他の構成例を示す図である。
【図１４】本発明の実施の形態１に係る建物のさらに他の外壁構造を模式的に示す外観斜視図である。
【図１５】本発明の実施の形態１に係る建物のさらに他の外壁構造を模式的に示す外観斜視図である。
【図１６】本発明の実施の形態１に係る他の建物の外壁構造を模式的に示す外観斜視図である。
【図１７】本発明の実施の形態１において、厚い外壁パネルの開口部の構造例を示す横断面図である。
【図１８】本発明の実施の形態１において、入込部を有する建物の外壁構造を模式的に示す横断面図である。
【図１９】本発明の実施の形態２に係る建物の外壁構造を模式的に示す縦断面図である。
【図２０】本発明の実施の形態２における外壁パネルの構成例を模式的に示す図である。
【図２１】本発明の実施の形態２において、フレーム部の取付け基準面に段差が形成された状態を示す図である。
【図２２】本発明の実施の形態２におけるフレーム部の他の例を示す斜視図である。
【図２３】本発明の実施の形態２におけるフレーム部のさらに他の例を示す斜視図である。
【図２４】本発明の実施の形態２におけるフレーム部のさらに他の例を示す斜視図である。
【図２５】本発明の実施の形態２におけるフレーム部のさらに他の例を示す斜視図である。
【図２６】本発明の実施の形態２に係る建物の他の外壁構造を模式的に示す外観斜視図である。
【図２７】本発明の実施の形態２に係る建物のさらに他の外壁構造を模式的に示す外観斜視図である。
【図２８】一般的な２階建ての建物を模式的に示す外観斜視図である。
【図２９】建物の外壁面に凹凸を持たせた一般的な建物の構造を示す縦断面図である。
【図３０】建物の外壁面に凹凸を持たせた一般的な建物の他の構造を示す横断面図である。
【発明を実施するための形態】
【００１８】
本発明の実施の形態について図面を参照しながら詳細に説明する。なお、図中同一または相当部分には同一符号を付してその説明は繰返さない。
【００１９】
＜実施の形態１＞
（概要について）
はじめに、本実施の形態に係る建物の外壁構造の概要について説明する。
【００２０】
図１および図２を参照して、建物の外壁構造１は、梁２２および柱２３を含む構造躯体部２と、構造躯体部２よりも屋外側に固定された複数の外壁パネル３，４とを備えている。外壁パネル３，４を正面（表面）側から見た形状は矩形形状である。外壁パネル３は標準仕様の外壁パネルであり、外壁パネル４の厚みの方が、外壁パネル３の厚みよりも大きい。厚みの異なる外壁パネル３，４は、横方向または上下方向に隣接して配置される。
【００２１】
本実施の形態において外壁構造１を採用する建物１０は、たとえば鉄骨系の２階建て住宅である。建物１０は、典型的には、いわゆるパネル工法によって造られた工業化住宅（プレハブ住宅）である。パネル工法とは、外壁、床および屋根などの建物の構成要素を予め工場にて所定の大きさにパネル化し、施工現場でこれらのパネルを組み立てて構築する工法である。
【００２２】
建物１０自体の構造躯体は、基礎２１、梁２２、および柱２３などを含むが、上記構造躯体部２は、建物１０の構造躯体のうち、平面視において屋内空間と屋外空間とを仕切る外周ラインに沿って配置され、かつ、基礎２１よりも上に位置する躯体部を示している。建物１０の外周ラインは矩形状であり、建物１０は、四方にそれぞれ配置された４つの外壁部を有している。
【００２３】
図１および図２に示されるように、建物１０においては、直交する２つの外壁部１０ａ，１０ｂにおいて、２階の一部に厚い外壁パネル４が並べて配置され、２階のそれ以外の部分と１階全体に、標準仕様の外壁パネル３が配置されている。これにより、建物１０の外壁部１０ａ，１０ｂにおいて、外壁面（外装面部材の表面）に段差が形成されている。
【００２４】
具体的には、外壁部１０ａと外壁部１０ｂとが交わる２階コーナー部に、複数の厚い外壁パネル４が各外壁部の横方向に沿って隣接して配置されている。この場合、各外壁パネル４は、標準仕様の外壁パネル３と上下方向に隣接して配置される。また、各外壁部１０ａ，１０ｂにおいて、横方向に沿って、標準仕様の外壁パネル３と複数の外壁パネル４のうちの１つとが、隣接して配置されている。なお、図１には、外壁部１０ａの横方向を矢印Ａ１で示し、外壁部１０ｂの横方向を矢印Ａ２で示している。各外壁部の横方向は、梁２２の延在方向に一致する。
【００２５】
ここで、比較のために、公知の建物の外壁構造について簡単に説明する。図２８には、単純な２階建ての建物（住宅）１１０が模式的に示されている。建物１１０の各外壁部においては、均一の厚みの複数の外壁パネル１０３が上下方向および横方向に並べられている。このような建物１１０においては、外壁面に凹凸がないため、外観の意匠性が乏しい。
【００２６】
また、外壁面に凹凸を持たせた一般的な建物においては、外壁パネル１０３の厚みはそのままで、構造躯体の配置を変えることで凹凸が形成されている。たとえば、図２９に示されるように、キャンチルームを設けた建物１１０Ａにおいては、梁２２を屋外方向へ突出させている。この場合、梁２２を含めた構造躯体の負担が増える。
【００２７】
また、図３０（Ｂ）に示されるように、外壁の一部に突出構造部を設けた建物１１０Ｂにおいては、図３０（Ａ）に示される建物１１０の基礎２１の配置と比較すると、基礎２１の位置が凹凸に合わせて変更されている。また、凹凸を付けることにより、基礎１２１が余分に追加されている。具体的には、突出構造部８１の屋内側に、入込部８２の外壁ラインに沿って基礎１２１が追加されている。この場合、突出構造部８１の突出具合が比較的小さいと、突出構造部８１の外壁パネル下の基礎２１とその屋内側に追加された基礎１２１とが近接するため、施工が難しい場合がある。
【００２８】
これに対し、本実施の形態に係る建物の外壁構造１は、構造躯体の配置を変えることなく、外壁パネル３，４の厚みの差によって、外壁に凹凸を持たせている。そのため、本実施の形態の建物１０の構造躯体の配置は、図３０（Ａ）のようなシンプルな建物１１０の構造躯体の配置と同じのままで、構造躯体の負担を増加させることなく、意匠性が向上された外観を作り出すことができる。
【００２９】
なお、図３０（Ｂ）に示した建物１１０Ｂのような外壁面の凹凸も、図３に示す外壁構造１Ａのように、突出させたい位置にのみ、厚い外壁パネル４を配置することで、構造躯体の構成を複雑にすることなく、建物１１０Ｂと同様の外観を作り出すことができる。
【００３０】
以下に、このような外壁パネル３，４について、詳細に説明する。
【００３１】
（外壁パネルの構成例について）
図４〜図６を参照して、外壁パネル３，４の構成例について説明する。
【００３２】
図４（Ａ）に示されるように、外壁パネル３は、フレーム部３１と、フレーム部３１に取付けられた外装面部材３２とを含んでいる。同様に、図４（Ｂ）に示されるように、外壁パネル４も、フレーム部４１と、フレーム部４１に取付けられた外装面部材４２とを含んでいる。フレーム部３１，４１を正面側（外装面部材側）から見た外形形状は、矩形形状である。なお、各外壁パネルは、フレーム部内に充填された断熱材（図示せず）をさらに含む。標準仕様の外壁パネル３の構成および構造は、公知の外壁パネル１０３と同じであってもよい。
【００３３】
図４に示されるように、外壁パネル３と外壁パネル４とは、外装面部材３２，４２の厚みは同じであるのに対し、フレーム部３１，４１の厚みが異なっている。つまり、フレーム部４１の厚み寸法Ｌ２の方が、フレーム部３１の厚み寸法Ｌ１よりも大きい。本実施の形態では、フレーム部３１は、一定の厚み（寸法Ｌ１）の１つの枠体によって構成されているのに対し、フレーム部４１は、複数の枠体が厚み方向に重ねられることによって構成されている。具体的には、フレーム部４１は、予め接合された内側フレーム５１と外側フレーム５２とによって構成されている。以下の説明において、フレーム部３１を標準フレーム部、フレーム部４１をダブルフレーム部ともいう。
【００３４】
なお、外壁パネル３，４は、それぞれ、外装面部材３２，４２を含まなくてもよい。すなわち、外装面部材３２，４２は、工場において、フレーム部３１，４１とともにパネル化されていなくてもよく、現場において、フレーム部３１，４１が構造躯体部２に固定された後に取付けられるものであってもよい。
【００３５】
図５には、フレーム部３１の外観斜視図が示されている。フレーム部３１は、矩形枠状に形成されており、一対の縦枠３１１，３１２と、一対の横枠３１３，３１４とを含む。縦枠３１１，３１２および横枠３１３，３１４は各々、たとえばＵ字状（コの字状）断面を有しており、一対のフランジ部とフランジ部を繋ぐウェブ部とで構成されている。
【００３６】
図６には、フレーム部４１の分解斜視図が示されている。図６に示されるように、内側フレーム５１および外側フレーム５２も、矩形枠状に形成されている。内側フレーム５１は、一対の縦枠５１１，５１２と、一対の横枠５１３，５１４とを含む。外側フレーム５２は、一対の縦枠５２１，５２２と、一対の横枠５２３，５２４とを含む。これらの縦枠および横枠もまた、各々、たとえばＵ字状（コの字状）断面を有しており、一対のフランジ部とフランジ部を繋ぐウェブ部とで構成されている。
【００３７】
正面側から見た内側フレーム５１および外側フレーム５２の外形寸法は、同じである。つまり、フレーム５１，５２は、縦寸法（Ｌ４）、および、横寸法（Ｌ６）の双方が同じである。なお、ここでの「同じ」は、完全に等しいとの意味に限定されず、若干異なっていてもよい。以下の記載においても同様であってよい。内側フレーム５１の厚み寸法Ｌ２１と、外側フレーム５２の厚み寸法Ｌ２２とは、異なっていてもよい。フレーム部４１の厚み寸法Ｌ２は、内側フレーム５１の厚み寸法Ｌ２１と外側フレーム５２の厚み寸法Ｌ２２とを足し合わした寸法である。
【００３８】
ダブルフレーム部４１の正面側から見た外形寸法（内側フレーム５１および外側フレーム５２の外形寸法）は、典型的には、標準フレーム部３１の正面側から見た外形寸法と同じである。しかしながら、フレーム部３１とフレーム部４１とは、縦寸法および横寸法の少なくとも一方が同じであればよい。具体的には、フレーム部４１の縦寸法Ｌ４は、外壁パネル３，４が外壁部の横方向に隣接して配置される場合、フレーム部３１の縦寸法Ｌ３と同じであるが、外壁パネル３，４が外壁部の上下方向に隣接して配置される場合には、フレーム部３１の縦寸法Ｌ３と異なっていてもよい。また、フレーム部４１の横寸法Ｌ６は、外壁パネル３，４が上下に並べられる場合、フレーム部３１の横寸法Ｌ５と同じであるが、外壁パネル３，４が横方向に並べられる場合には、フレーム部３１の横寸法Ｌ５と異なっていてもよい。
【００３９】
互いに対向する内側フレーム５１の屋外面５１０と外側フレーム５２の屋内面５２０とは、たとえばボルトなどによって、予め接合されている。具体的には、内側フレーム５１においては、枠５１１〜５１４それぞれの屋外側のフランジ部に、複数の貫通孔５１ａが設けられている。外側フレーム５２においては、枠５２１〜５２４それぞれの屋内側のフランジ部の、貫通孔５１ａに対向する位置に、複数の貫通孔５２ａが設けられている。後に説明する図９に示されるように、内側フレーム５１および外側フレーム５２の貫通孔５１ａ，５２ａに、両者を連結するためのボルト５３が挿通される。なお、内側フレーム５１および外側フレーム５２は、工場において溶接接合されてもよい。
【００４０】
（外壁パネルの取付け例について）
図７〜図１１を参照して、外壁パネル３，４の取付け例について説明する。
【００４１】
外壁パネル３，４は、いずれも、構造躯体部２の屋外側端部に固定される。本実施の形態では、図８および図１０に示されるように、外壁パネル３のフレーム部３１、および、外壁パネル４のフレーム部４１が、いずれも、構造躯体部２のうちの梁２２の屋外方向端部に固定されている。
【００４２】
フレーム部３１，４１の梁２２への固定は、たとえば、特開２０１４−１２５７７５号公報において出願人が提案しているような、取付部材（金具）６１とボルト部６２とを用いて実現することができる。この場合、取付部材６１は、Ｈ型鋼で造られた梁２２のフランジ２２１の屋外方向端部に固定されている。ボルト部６２は、フレーム部３１，４１のうち上下端部に位置する、裏面側（最も屋内側）のフランジ部に設けられている。フレーム部４１においては、内側フレーム５１の屋内側のフランジ部に、ボルト部６２が貫通されている。
【００４３】
なお、図８および図１０では、フレーム部３１，４１の上端部および下端部の双方が、梁２２に固定される例を示したが、柱２３など他の構造躯体部２に固定されてもよい。あるいは、建物１０の１階に配置されるフレーム部３１，４１の下端部を固定する場合には、たとえば、基礎２１上であって柱２３よりも屋外側の位置に設けられた固定金具（図示せず）が用いられる。このような固定金具も、上記文献などにおいて出願人が提案しているようなプレートやボルトを利用してもよい。フレーム部４１の下端部を基礎２１上に固定する場合には、内側フレーム５１の下側の横枠５１４が固定部材に固定される。
【００４４】
フレーム部３１，４１は、いずれも、構造躯体部２よりも屋外側に配置されるため、本実施の形態では、フレーム部３１，４１は、裏面側に構造躯体部２への連結基準面Ｐ１を有している。すなわち、フレーム部３１の連結基準面Ｐ１は、屋内側のフランジ部の外面を含む、フレーム部３１の屋内面により形成される。フレーム部４１の連結基準面Ｐ１は、内側フレーム５１の屋内側のフランジ部の外面を含む、フレーム部４１の屋内面により形成される。また、フレーム部３１，４１は、正面側に外装面部材３２，４２の取付け基準面Ｐ２を有している。すなわち、フレーム部３１の取付け基準面Ｐ２は、屋外側のフランジ部の外面を含む、フレーム部３１の屋外面により形成される。フレーム部４１の取付け基準面Ｐ２は、外側フレーム５２の屋外側のフランジ部の外面を含む、フレーム部４１の屋外面により形成される。
【００４５】
上述のように、フレーム部３１，４１のいずれもが、同一の取付金具や固定金具を用いて構造躯体部２に連結される。つまり、ダブルフレーム部４１の構造躯体への取付けにおいても特別な納まりを必要とせず、標準フレーム部３１と同じ納まりである。そのため、図７および図９に示す、フレーム部３１，４１の連結基準面Ｐ１の位置は、構造躯体部２との関係において同じ位置である。
【００４６】
たとえば、図１１に示されるように外壁パネル３，４が隣接して配置される場合、両者の連結基準面Ｐ１は面一状となる。これに対し、フレーム部３１，４１は厚み寸法が異なるため、取付け基準面Ｐ２の位置は、構造躯体部２との関係において異なっている。つまり、図１１に示されるように、標準フレーム部３１とダブルフレーム部４１とが隣接して配置される場合、両者の取付け基準面Ｐ２には段差が生じる。したがって、外壁パネル３，４が並べられた場合、取付け基準面Ｐ２に取付けられた外装面部材の表面に段差が生じる。理解の容易のために、図１１では、各フレーム部の取付け基準面Ｐ２をハッチングで示している。
【００４７】
なお、フレーム部３１，４１に取付けられる外装面部材３２，４２は、複層であってもよい。図７には、外装面部材３２が、空気層３２ｃを挟んで外側面材３２ａと内側面材３２ｂとで構成された例が示され、図９には、外装面部材４２が、空気層４２ｃを挟んで外側面材４２ａと内側面材４２ｂとで構成された例が示されている。
【００４８】
（ダブルフレーム部の構成例）
標準フレーム部３１は、工場において製造される既存のパネルフレームである。ダブルフレーム部４１の内側フレーム５１および外側フレーム５２の少なくとも一方は、この既存のパネルフレームにより構成されていることが望ましい。
【００４９】
本実施の形態のダブルフレーム部４１においては、外側フレーム５２が、フレーム部３１と同じパネルフレームにより構成されている。そのため、外側フレーム５２の厚み寸法Ｌ２２は、フレーム部３１の厚み寸法Ｌ１と同じであり、固定値である。これに対し、内側フレーム５１の厚み寸法Ｌ２１は、実現したい凹凸度合に応じて定めることができる。
【００５０】
具体的には、図１２に示すように、内側フレーム５１の厚み寸法Ｌ２１を、固定の厚み寸法Ｌ１よりも小さくしたり、大きくしたりすることで、連結基準面Ｐ１から取付け基準面Ｐ２までの突出寸法（Ｌ２）を変更することができる。これにより、フレーム部３１の取付け基準面Ｐ２とフレーム部４１の取付け基準面Ｐ２との段差を、大きくしたり小さくしたりすることができる。
【００５１】
このように、本実施の形態では、外側フレーム５２は、標準フレーム部３１と同じ既存のパネルフレームで構成されるため、工場の既存設備で外側フレーム５２を製造することができる。また、内側フレーム５１と外側フレーム５２との固定を現場で行うような場合には、内側フレーム５１を省いた外壁パネル４を、通常の外壁パネル３と同じように運搬することができる。
【００５２】
ここで、内側フレーム５１は、流通している型鋼材を利用することができる。したがって、内側フレーム５１を製造するための特別な設備を必要としない。また、この場合、内側フレーム５１の厚み寸法は、工業化住宅の規格モジュール寸法に左右されず、たとえば３０ｍｍ〜２５０ｍｍの範囲内から選択することができる。なお、内側フレーム５１の断面形状は、Ｕ字状でなく矩形状であってもよい。したがって、内側フレーム５１は、流通している鋼管材を利用することもできる。
【００５３】
あるいは、内側フレーム５１は、矩形枠状に形成されていなくてもよい。たとえば、図１３に示されるように、内側フレーム５１は、外側フレーム５２に接合された複数のスペーサ５１Ａによって構成されてもよい。
【００５４】
（外観パターンの他の例）
上述のような厚みの異なる外壁パネル３，４を用いることによって、図１に示したような外壁構造１のような外観パターンの他にも、様々な外観パターンを構成することができる。
【００５５】
たとえば、図１４に示す外壁構造１Ｂでは、下階に外壁パネル４のみが並べられ、上階に外壁パネル３のみが並べられている。これにより、建物１０の重心が下がり安定感のある雰囲気の外観を構成することができる。
【００５６】
また、図１５に示す外壁構造１Ｃでは、外壁パネル３の位置と外壁パネル４の位置とを上下階で揃え、これらが横方向に交互に配置されている。外壁パネル３，４の横寸法が比較的小さいような場合には、このような配置とすることで、列柱を設けたような外観を構成することもできる。
【００５７】
上記外壁構造１Ｂ，１Ｃのような外観パターンも、構造躯体の配置や間取りなどの条件を、図１の建物１０と同じ（図２８のシンプルな建物１１０と同じ）としたまま、実現することができる。
【００５８】
なお、図１６に示すような、構造躯体の位置を変更させて凹凸が形成された建物１０Ａにおいても、厚い外壁パネル４を部分的に配置してもよい。たとえば、外壁構造１Ｄにおいては、建物１０Ａの入隅部８３上の突出構造部８４の両サイドにのみ厚い外壁パネル４を配置し、他の外壁パネルを標準仕様の外壁パネル３とすることで、突出構造部８４の存在を際立たせることができる。
【００５９】
以上説明したように、本実施の形態の外壁構造によれば、建物の構造躯体の配置に依存することなく、また、構造躯体との連結方法を厚みの異なる外壁パネル３，４ごとに変えることなく、凹凸のある外観を実現することができる。その結果、簡易な構造で、建物の外観意匠性を向上させることができる。
【００６０】
また、建物の構造躯体の配置に依存しないため、工業化住宅の規格モジュールに縛られずに、５０ｍｍや６０ｍｍなどの段差の小さい外壁面を形成することができる。
【００６１】
また、図１７に示すように、外壁パネル４に窓７を設ける場合、標準仕様の外壁パネル３に窓を設ける場合に比べて、開口部４０に奥行きが増す。そのため、外壁パネル４の内側フレーム５１に窓用サッシ７１を取付けることで、外側フレーム５２の厚み分、窓７を外壁面４２０よりも奥に配置することができる。これにより、建物の重厚感を強調することができる。
【００６２】
また、図１８（Ａ）に示すように、一般的な建物では、入込部８２において、窓用サッシ７１が設けられた外壁パネル３ａと、標準仕様の外壁パネル３ｂとが交差する構成の場合、納まり上、外壁パネル３ｂ側の窓用サッシ７１の端位置を外壁パネル３ｂの外壁面３２０に隣接した状態とすることは困難である。これに対し、図１８（Ｂ）に示すように、外壁パネル３ａに交差する外壁パネルを、厚い外壁パネル４とした場合、内側フレーム５１に外側フレーム５２が重ねられることにより、その外壁面４２０の位置は、窓用サッシ７１の端位置に一致させることができる。
【００６３】
これにより、外壁パネルにより外壁を構成する工業化住宅であっても、建物の入込部８２において、建物の内外に貫通する壁（外壁１１および間仕切壁１２）に窓用サッシ７１だけが当たるような構成を実現することができる。なお、窓用サッシ７１の端位置と外壁パネル４の外壁面４２０とは、完全に一致していなくてもよく、これらは近接していればよい。また、外壁パネル３ａも、厚い外壁パネル４であってもよい。
【００６４】
＜実施の形態２＞
上記実施の形態１では、厚みの異なる外壁パネルが隣接して配置されることによって、外壁面に段差が形成されるものであった。これに対し、本実施の形態では、外壁パネル自体に段差が形成されている。このような外壁パネルおよび外壁構造について、実施の形態１と異なる部分のみ詳細に説明する。
【００６５】
図１９は、本実施の形態に係る建物の外壁構造１１を模式的に示す断面図である。外壁構造１１は、実施の形態１で示した外壁パネル４に代えて、外壁パネル４Ａを備えている。図１９においては、外壁パネル３と外壁パネル４Ａとが上下に隣接して配置されている。
【００６６】
図２０（Ａ）に示されるように、外壁パネル４Ａは、フレーム部４３と外装面部材４２とを含む。外壁パネル４Ａは、部分的に屋外方向へ突出する凸部４０２を有しており、外壁面４２０に段差が形成されている。外壁パネル４Ａの凸部４０２以外の部分を、ここでは平坦部４０１という。
【００６７】
図２０（Ｂ）に示されるように、外壁パネル４Ａのフレーム部４３は、外装面部材４２の取付け基準面Ｐ３に段差を有している。すなわち、フレーム部４３は、連結基準面Ｐ１から取付け基準面Ｐ３までの突出寸法が異なる第１部分４３１および第２部分４３２を有している。第１部分４３１と第２部分４３２とは隣接している。
【００６８】
本実施の形態では、第２部分４３２の突出寸法Ｌ２４の方が、第１部分４３１の突出寸法Ｌ２３よりも大きい。図２０（Ｂ）では、両部分４３１，４３２の突出寸法の差が、寸法Ｌ２５として示されている。外壁パネル４Ａがこのようなフレーム部４３を備えることにより、外壁パネル４Ａに、上記した平坦部４０１と凸部４０２とを形成することができる。
【００６９】
本実施の形態では、フレーム部４３は、正面側から見た外形寸法の異なる複数の枠体が厚み方向に重ねられて構成されている。具体的には、フレーム部４３は、厚み寸法が所定寸法（Ｌ２３である）内側フレーム５１と、内側フレーム５１に部分的に重ねられる外側フレーム５３とで構成されている。この場合、内側フレーム５１と外側フレーム５２とが重ねられた部分が、第２部分４３２を形成し、内側フレーム５１のみの部分が、第１部分４３１を形成している。以下の説明では、第１部分４３１をシングルフレーム部、第２部分４３２をダブルフレーム部ともいう。
【００７０】
フレーム部４３の連結基準面Ｐ１は、内側フレーム５１の屋内面によって形成される。フレーム部４３の取付け基準面Ｐ３は、外側フレーム５３の屋外面と、内側フレーム５１の屋外面のうち、外側フレーム５３と重ならない部分の屋外面とによって形成される。
【００７１】
内側フレーム５１の構成および寸法は、たとえば、実施の形態１の図６等に示した内側フレーム５１と同じである。また、外側フレーム５３の厚み寸法は、たとえば、実施の形態１の図６で示した外側フレーム５２の厚み寸法Ｌ２２と同じである。この場合、シングルフレーム部４３１の突出寸法Ｌ２３は、内側フレーム５１の厚み寸法Ｌ２１と同じである。ダブルフレーム部４３２の突出寸法Ｌ２４は、実施の形態１の図４に示したダブルフレーム部４１の厚み寸法Ｌ２と同じである。また、両部分４３１，４３２の突出寸法の差Ｌ２５は、外側フレーム５３の厚み寸法Ｌ２２と等しい。
【００７２】
外側フレーム５３は内側フレーム５１の屋外面に部分的に重ねられるが、外側フレーム５３の縦寸法および横寸法のいずれか一方は、内側フレーム５１の寸法と同じであることが望ましい。本実施の形態では、図２１に示されるように、外側フレーム５３の横寸法が、内側フレーム５１の横寸法Ｌ６と同じであり、外側フレーム５３の縦寸法Ｌ４０が、内側フレーム５１の縦寸法Ｌ４よりも小さい。したがって、フレーム部４３の取付け基準面Ｐ３は、上下方向に段差を有している。フレーム部４３においては、内側フレーム５１と外側フレーム５３とは、たとえば下端位置が合せられている。
【００７３】
このような外壁パネル４Ａを建物１０の外壁部に用いることで、１つの外壁パネル内において凹凸を持たせることができるため、狭い範囲で外壁面に段差を設けることができる。その結果、建物１０の外観意匠性をさらに向上させることができる。
【００７４】
段差を有する外壁パネル４Ａとしては、図２１のようなフレーム部４３以外にも、たとえば、図２２〜図２５に示すような構造のフレーム部を採用可能である。
【００７５】
図２２に示すフレーム部４３Ａは、外側フレーム５４の縦寸法が、内側フレーム５１の縦寸法Ｌ４と同じであり、外側フレーム５３の横寸法Ｌ６０が、内側フレーム５１の横寸法Ｌ６よりも小さい。したがって、フレーム部４３Ａの取付け基準面Ｐ３は、横方向に段差を有している。フレーム部４３Ａにおいては、内側フレーム５１と外側フレーム５３とは、たとえば正面側から見て左端位置が合せられている。
【００７６】
図２３に示すフレーム部４３Ｂは、図２２のフレーム部４３Ａと同様に、外側フレーム５５の縦寸法が、内側フレーム５１の縦寸法Ｌ４と同じであるが、外側フレーム５５は、内側フレーム５１の横方向中央位置に重ねられている。このように、フレーム部４３Ｂは、横方向中央位置にダブルフレーム部４３２を有し、その両側に２つのシングルフレーム部４３１を有していてもよい。
【００７７】
また、図２４に示すフレーム部４３Ｃは、２つ（複数）の外側フレーム５６ａ，５６ｂを有している。これらの外側フレーム５６ａ，５６ｂは、縦寸法が、内側フレーム５１の縦寸法Ｌ４と同じである。この場合、外側フレーム５６ａ，５６ｂは、左右に離れて配置されている。したがって、フレーム部４３Ｃは、横方向中央位置にシングルフレーム部４３１を有し、その左側および右側にそれぞれ２つのダブルフレーム部４３２を有している。
【００７８】
図２５に示すフレーム部４３Ｄは、２つ（複数）の外側フレーム５７ａ，５７ｂを有している。これらの外側フレーム５７ａ，５７ｂは、横寸法が、内側フレーム５１の横寸法Ｌ６と同じである。この場合、外側フレーム５７ａ，５７ｂは、上下に離れて配置されている。したがって、フレーム部４３Ｄは、上下方向中央位置にシングルフレーム部４３１を有し、その上側および下側にそれぞれ２つのダブルフレーム部４３２を有している。
【００７９】
フレーム部４３Ｄは、シングルフレーム部４３１に窓用サッシを取付け可能な構成である。すなわち、内側フレーム５１の１対の縦枠５１１，５１２間には、横桟材５８ａが架け渡されている。横桟材５８ａは、たとえば、下側の外側フレーム５７ｂの上端の横枠５７３と同じ高さ位置に設けられている。また、内側フレーム５１の下端の横枠５７４と横桟材５８ａとの間に、縦桟材５８ｂが嵌め入れられている。
【００８０】
上述のように、外壁パネル４Ａのフレーム部は、様々な構造が採用可能であるため、斬新なデザインの外壁面を作り出すこともできる。図２６および図２７には、外壁パネル４Ａを用いた建物１０の他の外観パターン例が示されている。
【００８１】
図２６に示す外壁構造１１Ａでは、建物１０の上階に、複数の外壁パネル４Ａが横方向に隣接して配置されている。外壁パネル４Ａの下側には、実施の形態１で示した標準仕様の外壁パネル３が隣接して配置されている。
【００８２】
外壁構造１１Ａにおいて、外壁パネル４Ａは下側に凸部４０２（ダブルフレーム部４３２）を有しているため、建物１０を上下に分断したようなデザインとなっている。また、外壁パネル４Ａの平坦部４０１（シングルフレーム部４３１）の位置に窓７を設ける場合、開口部に奥行き感が増すため、重厚感のある外観を構成することができる。
【００８３】
また、図２７に示す外壁構造１１Ｂでは、建物１０の上階および下階の双方に、複数の外壁パネル４Ａが横方向に隣接して配置されている。また、外壁パネル４Ａは、上下方向にも隣接するように配置されている。
【００８４】
外壁構造１１Ｂにおいて、外壁パネル４Ａは上側に凸部４０２を有している。この場合、上下階に、このような外壁パネル４Ａが設けられているため、この場合も、外壁パネル４Ａの平坦部４０１に窓７を設けた場合、重厚感のある外観を構成することができる。
【００８５】
また、図２６および図２７に示されるように、複数の外壁パネル４Ａは、シングルフレーム部４３１およびダブルフレーム部４３２の少なくとも一方が連続するように、横方向または縦方向に隣接して配置することが望ましい。このようにすることで、平坦部４０１の表面または凸部４０２の表面が、隣接するパネル４Ａ間を跨って面一状に配置される。この場合、タイルなどの見切りや複数の窓をまとめて見せることができる。また、複数の外壁パネル４Ａ間の目地を目立たなくすることもできる。
【００８６】
また、図２６および図２７に示されるように、外壁パネル４Ａと実施の形態１に示した厚い外壁パネル４とを、横方向または上下方向に並べて配置してもよい。この場合、外壁パネル４Ａの凸部４０２が、厚い外壁パネル４に隣接するように配置されることが望ましい。また、外壁パネル４Ａの平坦部４０１と、標準の外壁パネル３とを隣接して配置してもよい。
【００８７】
以上説明したように、本実施の形態の外壁パネル４Ａを用いることで、より多様な外壁パターンを構成することができる。なお、建物の外壁を構成する外壁パネルの全てを、外壁パネル４Ａとしてもよい。
【００８８】
なお、上記各実施の形態では、外壁パネルのフレーム部の全てまたは一部をダブルフレームにする構成について説明したが、内側フレームおよび外側フレームの少なくとも一方が、さらに複数のフレームで構成されていてもよい。
【００８９】
また、外壁パネルのフレーム部の厚みの大きい部分を、ダブルフレームにすることなく、厚みの大きい１つの枠体で構成してもよい。
【００９０】
また、上記各実施の形態で示した建物は、鉄骨系の工業化住宅であることとしたが、これに限定されない。すなわち、外壁パネルを用いる建物であれば、木造住宅などであってもよい。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
１，１Ａ，１Ｂ，１Ｃ，１Ｄ，１１，１１Ａ，１１Ｂ  外壁構造、２  構造躯体部、３，４，３ａ，３ｂ，４Ａ，１０３  外壁パネル、７  窓、１０，１０Ａ，１１０，１１０Ａ，１１０Ｂ  建物、１１  外壁、１２  間仕切壁、２１，１２１  基礎、２２  梁、２３  柱、３１，４１，４３，４３Ａ，４３Ｂ，４３Ｃ，４３Ｄ  フレーム部、３２，４２  外装面部材、４０  開口部、５１  内側フレーム、５１Ａ  スペーサ、５２，５３，５４，５５，５６ａ，５６ｂ，５７ａ，５７ｂ  外側フレーム、７１  窓用サッシ、４０１  平坦部、４０２  凸部、４３１  シングルフレーム部（第１部分）、４３２  ダブルフレーム部（第２部分）、Ｐ１  連結基準面、Ｐ２，Ｐ３  取付け基準面。
【図１】
0006474650.tif 000002
【図２】
0006474650.tif 000003
【図３】
0006474650.tif 000004
【図４】
0006474650.tif 000005
【図５】
0006474650.tif 000006
【図６】
0006474650.tif 000007
【図７】
0006474650.tif 000008
【図８】
0006474650.tif 000009
【図９】
0006474650.tif 000010
【図１０】
0006474650.tif 000011
【図１１】
0006474650.tif 000012
【図１２】
0006474650.tif 000013
【図１３】
0006474650.tif 000014
【図１４】
0006474650.tif 000015
【図１５】
0006474650.tif 000016
【図１６】
0006474650.tif 000017
【図１７】
0006474650.tif 000018
【図１８】
0006474650.tif 000019
【図１９】
0006474650.tif 000020
【図２０】
0006474650.tif 000021
【図２１】
0006474650.tif 000022
【図２２】
0006474650.tif 000023
【図２３】
0006474650.tif 000024
【図２４】
0006474650.tif 000025
【図２５】
0006474650.tif 000026
【図２６】
0006474650.tif 000027
【図２７】
0006474650.tif 000028
【図２８】
0006474650.tif 000029
【図２９】
0006474650.tif 000030
【図３０】
0006474650.tif 000031